(57)【要約】【課題】人体に対し有害な農薬などを用いることなく、また高コストで難しい特殊材料の調合なども要さず、自然界に大量に存在して安定供給でき、かつ自然の循環系（エコロジー）を損なうことなく作物の生育結果を高効率に改善させるような農作物用散布材を提供する。【解決手段】硬殻を含む植物種子を粉砕ないし圧搾し、これを粉末ないし顆粒状にして、農作物用散布材とする。また特に、松の種子、胡桃の種子、梅の種子のうち少なくとも１種を有する植物種子を原料に使用する。更に、乾燥重量において全量の１０〜７０％の炭粉末が混合された上記植物種子材料の農作物用散布材とする。【選択図】なし【特許請求の範囲】
【請求項１】
硬殻を含む植物種子を粉砕ないし圧搾し、これを粉末ないし顆粒状にして成ることを特徴とする農作物用散布材。
【請求項２】
植物種子が、松の種子、胡桃の種子、梅の種子のうち少なくとも１種を有する植物種子である請求項１記載の農作物用散布材。
【請求項３】
乾燥重量において、全量の１０〜７０％の炭粉末が混合された請求項１及び請求項２記載の農作物用散布材。
【発明の詳細な説明】
【０００１】
【発明の属する技術分野】
この発明は、農作物や園芸用草木等（本願では農作物と総称する）またはその培地に散布して、害虫や病原菌等を防いだり、作物の生育結果を改善するための散布材（散布剤）に関する。
【０００２】
【従来の技術】
農作物またはその培地に散布することによってその生育結果を改善する材料としては、害虫や病原菌、雑草等を駆除するいわゆる農薬が最も一般的である。他に培地の土質を改善して植物の生育を助けるものとしては、炭のような吸着材や石灰等のＰＨ調整材、不足栄養成分補充材、或いは微生物群配合堆肥、バイオ系またはケミカル系害虫忌避剤などがよく知られている。
【０００３】
【発明が解決しようとする課題】
このような従来の様々な農作物用散布材類はそれなりに成果をあげているものの、一般に農薬類は人畜に対して有害であって、散布作業中に危険を伴うばかりか、作物に残留した農薬が人体に与える悪影響は深刻なものがあり、また農薬により生命力の低下した植物は自ら害虫を排除する力も弱まるため一層虫が付き易くなり、更に耐性を獲得した虫や病原菌と新薬の開発とのイタチゴッコに陥るなど、今日において様々な問題点を抱えているものであることは否めない。
【０００４】
このような農薬類を用いない無害な生物系散布材として、例えば多種類の薬草抽出物、薬石、選定した動植物の成分等をブレンドするなど独自の工夫をこらしたものも、一部で成果をあげているが、広範な農業方面においてはどうしてもコストが高すぎることになり、品質（調合）管理や安定供給などの面でも問題点が残されている。
【０００５】
本発明はこのような現状から、農薬のような害を全くもたないと同時に、難しい調合などを要さず、自然界に大量に存在して安定供給でき、かつ自然の循環系（エコロジー）を損なうことなく作物の生育結果を高効率に改善する農作物用散布材を提供することを課題とする。
【０００６】
【課題を解決するための手段】
硬殻を含む植物種子を粉砕ないし圧搾し、これを粉末ないし顆粒状にして農作物用散布材とする。
【０００７】
硬殻を有する植物種子は自然界に多種存在するが、それらのなかでもとりわけ好ましいのは松の種子、胡桃の種子、及び梅の種子であり、これらの少なくとも１種を一般の植物種子の場合にも含ませるのが良い。また上記の種子のように、実や油等を食用としていて殻や搾り滓を廃棄しているものは、廃棄物処理対策にもつながることになる。
【０００８】
農作物用散布材として用いるにあたり、上記のような植物種子の粉砕ないし圧搾物を単独成分とするばかりでなく、必要に応じ土壌改良剤のようなものを適宜混合することは任意である。特に炭類、とりわけ種子殻や籾殻等の炭化物は、これを粉末にすると飛翔して散布困難だったものが、乾燥重量換算で全体量の１０〜７０％を占めるように植物種子粉砕物と混合すると、顆粒状態となって舞ったり黒く汚すこともなく、散布に適したものになることが判明した。
【００１０】
本発明による散布材の製品形態は、作業性などの点から顆粒状が好ましいが、やや大形の米粒状程度に造粒してもよく、この場合も本発明では顆粒状とみなすものとする。また硬殻類をただ粗粉砕で粒状にするのでなく、これを一旦粉末化することが好ましい。
【００１１】
【作用】
硬い殻をもつ植物の種子殻、とりわけ松の実等の殻中には、本発明者が既に発見したＳＰＮと仮称するウィルス抑制能をもつ微量成分が含まれている。動物実験ではその抽出成分がエイズなどのウィルス疾患に有効とのデータも挙がっており、またこれを含むサプリメントの継続接種が肝炎その他のウィルスを抑制したとのデータも蓄積しつつある。
【００１２】
このような事実が農作物の生育結果にも好影響を与えたとすれば、これはおそらく次のような理由によるものではないかと推察される。すなわち、本来自然界に不可避的に存在するところの農作物に取り付くウィルス等の病原菌や生育阻害菌などが上記ＳＰＮにより抑制されることによって、健康な植物のもつ本来の生育能力がフルに実現できるためと考えられる。事実、後述のように、栄養剤としては取るに足らない量であっても、生育作物の収穫量と品質（歩留まり）のいずれにおいてもその効果は一目瞭然なものがあった。
【００１３】
【発明の実施の形態１】
殻付きの松の実と中身を取り除いた殻を重量比で３：１の割合で混ぜ合わせてこれを搾油機にかけて圧搾・搾油し、搾油残滓として排出される不定形略帯状のケーキを粉砕してこれを２重量部用意し、別に得られる籾殻及び松の殻の炭化物からなる炭粉末１重量部を混合して撹拌し、粒径や形状が不定形の略顆粒状散布材を得た。これを各５０ｍ２のネギ畑の試験区と対象区のうち試験区のみ１０ｇ／ｍ２の割合で散布した。生育したネギを観察すると、試験区では明らかに硬さが増して腰がしっかりし、対象区で見られるような先端の黄変（ウィルスによるとされる）も全く見られなかった。
【００１４】
【発明の実施の形態２】
上記の略顆粒状散布材を、約２５年間松茸が生育しなかった赤松林５０ｍ２に２０ｇ／ｍ２の割合で散布したところ、秋の収穫期になったら１３本の松茸の生育が認められるようになった。
【００１５】
【発明の実施の形態３】
上記のケーキ粉砕物に水を加えてスラリー状にし、これをベト病に犯されたトマト畑に葉面散布したところ、次の「二番なり」には普通のトマトが実るようになった。ちなみに通常は決してこのようにはならず、「一番なり」の苗を抜いて徹底滅菌しない限り、従来の技術では解決不可能とされていた。
【００１６】
【発明の実施の形態４】
上記のスラリー状物を、約３０ｍ２のナス畑に葉面散布したところ、通常は葉を喰いちぎるはずのテントー虫等がいなくなり、ナスの実の生育も良好で不良品が無くなった。またテスト期間に不随して、白蟻類に対する明らかな忌避効果が発見された。
【００１７】
【発明の実施の形態５】
松の実の搾油滓ケーキに替えて他の様々な硬殻種子粉砕物を原料に試みたところ、程度の差はあれ類似の作用・効果が認められ、特に胡桃の搾油滓と梅肉が除かれた梅種の粉砕物が有用であった。また炭粉末を混合した場合は、土壌のＰＨ調整など土壌改良に有効であり、炭粉末を単独で用いる場合に比べ作業性が著しく向上した。
【００１８】
【発明の効果】
このように本発明によれば、人体にとって有害な農薬類を用いることなく、また高コストで調合が複雑困難な特殊材料を用いることもなく、エコロジーを損なわずに自然界から常に安定して大量供給される材料を用いることによって、農作物につく害虫や病原菌を抑制してその生育結果を向上させることができ、同時に炭などの土壌改良材の散布施工を容易にし、また搾油残滓などの廃棄物対策にもなり広範な環境改善に役立つなど、多大な効果がある。